(57)【要約】本発明は、発信者から伝送された音声メッセージに対して、着信者が音声の聴取途中に端末機の特定キーを押すことによって回答可否を音声メッセージで伝送できるようにした回答音声メッセージ伝送システム及びその方法を開示する。この方法は、ａ）発信端末機から音声メッセージを登録する段階；ｂ）上記登録された音声メッセージが着信端末機から確認されるかどうかを判断し、判断の結果、上記着信端末機から上記音声メッセージが確認されない場合は、上記登録された音声メッセージを時間帯別にデータベース化して保存させる段階；ｃ）上記段階ｂ）において上記着信端末機から上記音声メッセージが確認される場合は、発信者の音声メッセージを聴取する途中または聴取完了後に、着信者による回答音声メッセージを録音する段階；及び、ｄ）着信者により録音された上記回答音声メッセージを上記発信端末機に伝送する段階；から成る。
2008512893.tif 000002
【特許請求の範囲】
【請求項１】
Ａ）音声メッセージを登録し、登録された音声情報に対するメッセージ着信の通知を受ける発信端末機（ＭＳ１）；
Ｂ）多数の基地局（ＢＴＳ）から受信される上記発信端末機（ＭＳ１）よりの音声メッセージの登録要請に応答して移動通信ネットワークの呼接続を行う基地局制御機（ＢＳＣ）；
Ｃ）上記基地局制御機（ＢＳＣ）から接続されるチャンネルの管理及び統制を行い、呼接続に関連した信号処理機能を行う交換局（ＭＳＣ／ＶＬＲ）；
Ｄ）上記発信端末機（ＭＳ１）よりの音声メッセージの登録及び登録通知を行い、上記登録された音声メッセージが着信端末機（ＭＳ２）により音声確認される場合に、上記音声メッセージの確認に関連した回答情報を生成する音声メッセージ管理サーバー（ＶＰＳ）；及び
Ｅ）上記交換局（ＭＳＣ／ＶＬＲ）と連動して発信者情報に基づいた上記音声メッセージを保存及び伝送し、上記音声メッセージの確認途中または確認完了後に、上記音声メッセージ管理サーバー（ＶＰＳ）により生成される着信者の回答情報を保存する音声私書箱サーバー（ＶＭＳ）；を含むことを特徴とする回答音声メッセージ伝送システム。
【請求項２】
上記交換局（ＭＳＣ／ＶＬＲ）と連動して、上記音声メッセージの登録に伴う登録通知を短文メッセージの形で送出する短文メッセージセンター（ＳＭＣ）を更に含むことを特徴とする請求項１に記載の回答音声メッセージ伝送システム。
【請求項３】
上記回答情報は、
着信者により録音される回答音声メッセージであることを特徴とする請求項１に記載の回答音声メッセージ伝送システム。
【請求項４】
上記回答音声メッセージには、
文字、映像、イメージ、アバターを含むマルチメディアメッセージが追加できることを特徴とする請求項３に記載の回答音声メッセージ伝送システム。
【請求項５】
上記音声私書箱サーバーは、
未確認状態である上記発信者よりの音声メッセージをデータベース化して保存し、
上記データベース化した音声メッセージ情報らは着信者が削除可能であり、削除しなかった場合は、所定期間着信端末機のメモリーに保存されてから自動削除されることを特徴とする請求項１に記載の回答音声メッセージ伝送システム。
【請求項６】
上記音声メッセージ管理サーバーは、
Ｄ−１）上記発信端末機（ＭＳ１）から要請される音声メッセージに対する登録手順を制御し、その登録に伴って音声メッセージ登録時間を生成し、上記発信端末機（ＭＳ１）から着信要請された着信者情報を管理する音声メッセージ管理モジュール；
Ｄ−２）既に登録されている音声メッセージに対する着信端末機（ＭＳ２）の音声メッセージ確認手順を制御し、確認手順に沿う音声メッセージ確認信号及び確認時間情報を生成する音声メッセージ確認モジュール；及び
Ｄ−３）上記音声メッセージの確認途中または確認終了後に、着信者の回答音声メッセージを上記発信端末機（ＭＳ１）に伝送する回答音声メッセージ伝送モジュール；を含むことを特徴とする請求項１に記載の回答音声メッセージ伝送システム。
【請求項７】
ａ）発信端末機から音声メッセージを登録する段階；
ｂ）上記登録された音声メッセージが着信端末機から確認されるかどうかを判断し、判断の結果、上記着信端末機から上記音声メッセージが確認されない場合は、上記登録された音声メッセージを時間帯別にデータベース化して保存させる段階；
ｃ）上記段階ｂ）において上記着信端末機から上記音声メッセージが確認される場合は、発信者の音声メッセージを聴取する途中または聴取完了後に、着信者による回答音声メッセージを録音する段階；及び
ｄ）着信者により録音された上記回答音声メッセージを上記発信端末機に伝送する段階；を含むことを特徴とする回答音声メッセージ伝送方法。
【請求項８】
上記段階ｃ）における回答音声メッセージの録音は、
着信者が着信端末機の特定ボタンをクリックすることによって行われ、上記録音された回答音声メッセージは音声私書箱サーバーに保存されることを特徴とする請求項７に記載の回答音声メッセージ伝送方法。
【請求項９】
上記回答音声メッセージには、
文字、映像、イメージ、アバターを含むマルチメディアメッセージが追加できることをことを特徴とする請求項７に記載の回答音声メッセージ伝送システム。
【請求項１０】
上記段階ｃ）における音声メッセージの確認は、
短文メッセージセンター（ＳＭＣ）が上記音声メッセージの登録に伴う登録通知を短文メッセージで着信端末機に送出することによって行われることを特徴とする請求項７に記載の回答音声メッセージ伝送方法。
【請求項１１】
上記段階ｃ）における音声メッセージの確認は、
音声メッセージ管理サーバー（ＶＰＳ）によりアウトダイヤル（Outdialling）されて着信端末と直接連結することによって実行可能であることを特徴とする請求項７に記載の回答音声メッセージ伝送方法。
【請求項１２】
上記段階ｃ）で上記着信端末機から上記音声メッセージを確認するための手順は、
ｃ−１）上記登録された音声メッセージが音声私書箱サーバーにより上記着信端末機にアウトダイヤル（Outdialling）される段階；
ｃ−２）上記音声私書箱サーバーから上記アウトダイヤル（Outdialling）の状態を短文メッセージセンターに知らせる段階；及び
ｃ−３）上記短文メッセージセンターから上記着信端末機に上記音声メッセージの到着現況を知らせる段階；を含むことを特徴とする請求項７に記載の回答音声メッセージ伝送方法。
【請求項１３】
上記音声私書箱サーバーは、
未確認状態である上記発信者よりの音声メッセージをデータベース化して保存し、上記データベース化した音声メッセージ情報等は着信者が削除可能であり、削除しなかった場合は、所定期間着信端末機のメモリーに保存されてから自動削除されることを特徴とする請求項８に記載の回答音声メッセージ伝送方法。
【請求項１４】
イ）発信端末機から音声メッセージを音声私書箱サーバーに登録する段階；
ロ）短文メッセージセンターが上記音声メッセージの到着を知らせるための短文メッセージを着信端末機に送出する段階；
ハ）上記段階ロ）で上記着信端末機から上記音声メッセージの到着が確認された場合、発信者の音声メッセージを聴取する途中または聴取完了後に着信者による回答音声メッセージを録音する段階；及び
ニ）着信者により録音された上記回答音声メッセージを上記発信端末機に伝送する段階；を含むことを特徴とする回答音声メッセージ伝送方法。
【請求項１５】
上記段階ハ）における回答音声メッセージの録音は、
着信者が着信端末機の特定ボタンをクリックすることによって行われることを特徴とする請求項１３に記載の回答音声メッセージ伝送方法。
【請求項１６】
上記回答音声メッセージには、
文字、映像、イメージ、アバターを含むマルチメディアメッセージが追加できることを特徴とする請求項１４に記載の回答音声メッセージ伝送システム。
【請求項１７】
上記段階ハ）における音声メッセージの確認は、
短文メッセージセンター（ＳＭＣ）が上記音声メッセージの登録に伴う登録通知を短文メッセージで着信端末機に送出することによって行われることを特徴とする請求項１４に記載の回答音声メッセージ伝送方法。
【請求項１８】
ｉ）発信端末機から音声メッセージを音声私書箱サーバーに登録する段階；
ｉｉ）短文メッセージセンターが上記音声メッセージの到着を知らせるための短文メッセージを着信端末機に送出する段階；
ｉｉｉ）上記音声メッセージを聴取するか否かを着信者に質疑する段階；
ｉｖ）上記段階ｉｉｉ）での質疑結果、上記着信者が上記音声メッセージの聴取を望む場合、上記音声メッセージを保存している音声私書箱サーバーとの接続のために着信者が所定の接続番号及びパスワードを入力する段階；
ｖ）上記音声メッセージの聴取途中または聴取後に回答音声メッセージを録音するか否かを着信者に質疑する段階；
ｖｉ）上記段階ｖ）での質疑結果、上記音声メッセージの聴取途中に回答音声メッセージの録音を望む場合は、着信者が特定ボタンをクリックして回答メッセージを録音した後発信端末機に伝送し、上記音声メッセージの聴取後に回答音声メッセージの録音を望む場合は、上記音声メッセージの聴取完了後に着信者が特定ボタンをクリックして回答メッセージを録音した後発信端末機に伝送する段階；を含むことを特徴とする回答音声メッセージ伝送方法。
【請求項１９】
上記回答音声メッセージには、
文字、映像、イメージ、アバターを含むマルチメディアメッセージが追加できることを特徴とする請求項１８に記載の回答音声メッセージ伝送システム。
【請求項２０】
上記段階ｉｉ）における音声メッセージの到着は、
音声メッセージ管理サーバー（ＶＰＳ）によりアウトダイヤル（Outdialling）されて着信端末と直接連結されることによって確認できることを特徴とする請求項１８に記載の回答音声メッセージ伝送方法。
【請求項２１】
上記段階ｉｉｉ）での質疑結果、上記着信者が上記音声メッセージの聴取を望まない場合は、未確認状態である上記発信者よりの音声メッセージをデータベース化して保存し、上記データベース化した音声メッセージ情報等は着信者が削除可能であり、削除しなかった場合は、所定期間着信端末機のメモリーに保存されてから自動削除されることを特徴とする請求項１８に記載の回答音声メッセージ伝送方法。
【発明の詳細な説明】
【技術分野】
【０００１】
本発明は、移動通信端末機の音声メッセージ伝送に関するもので、より詳しくは、発信者から伝送された音声メッセージに対して、着信者が音声の聴取途中に端末機の特定キーを押すことによって回答可否を音声メッセージで伝送できるようにした回答音声メッセージ伝送システム及びその方法に関するものである。
【背景技術】
【０００２】
現在、無線呼出サービスには、数字メッセージを伝送する数字ページング（Numeric Paging）と簡単な文字メッセージを伝送する文字ページング（Alphanumeric Paging）とがある。しかし、数字や文字では情報の伝送に限界があるため、人間固有の感情がこもった音声メッセージが好まれるようになり、これを満たすための一つの形態として、無線呼出網を用いた音声私書箱サービスがある。ここで、音声私書箱サービスとは、呼出者が電話をかけて音声私書箱に音声メッセージを残すと、音声メッセージが受信されたとの事実を被呼出者の端末機に知らせるようになり、被呼出者は音声私書箱に電話をかけて聴取するものである。
【０００３】
このような従来の最も一般的な音声メッセージ伝送方法について、以下に説明する。
【０００４】
まず、移動通信付加サービスへの接近は一般移動通信の呼処理手順に基づいて行われるが、端末機が受信不可能な状態の時は、音声ページングサービスが行われるようになっている。すなわち、音声メッセージ伝送のために端末機の間で呼接続が要請されると、移動通信交換機は位置情報要求（Location Request）メッセージを用いてＨＬＲ（Home Location Register）に位置を要求し、上記ＨＬＲは端末機が現在位置している訪問地のＶＬＲ（Visistor Location Resistor）から位置を確認して、移動通信交換機に送信する構造を有する。
【０００５】
移動通信交換機は、訪問地の交換機と通話路を設定した後、移動通信端末機にページングし、端末機がページング応答メッセージを送れば、利用者の望む通りに両方向リアルタイム通話がなされる。
【０００６】
しかし、端末機の位置が受信不可能な地域であるか、電源が消えている等受信不可能な場合に、訪問地の移動通信交換機は、通話路を音声ページングセンターに連結して、発信者が音声ページングセンターに該当音声メッセージを残し得るようにしている。以後、上記音声ページングセンターは、待機していて再伝送アルゴリズムにより再び伝送し、消えていた端末機の電源が入って登録メッセージが端末機からＨＬＲを介して受信されると、音声メッセージの伝送を始める。
【０００７】
しかし、このような音声メッセージの伝送は、発信者の音声情報を音声ページングセンターに保存し、上記保存された音声情報を着信者が一方的に聴取する構造であるために、上記発信者の電話番号なしでは上記着信者が上記発信者の音声メッセージに対応して上記発信者の端末に回答音声メッセージを伝送する方法がなく、システムを利用する上で大変不便であった。しかも、急変する時代の環境の中で、従来の音声メッセージシステムのようなネットワークの非リアルタイム的な運用は、時代に逆行する構造と認知されていて、ネットワークの活用度を大きく低下させる問題点を有している。
【発明の開示】
【発明が解決しようとする課題】
【０００８】
従って、本発明は、上記の従来技術の諸問題点を解決するために案出されたもので、本発明の目的は、発信者から伝送された音声メッセージに対して、着信者が音声の聴取途中に端末機の特定キーを押すことによって回答可否を音声メッセージで伝送できるようにした回答音声メッセージ伝送システム及びその方法を提供することにある。
【０００９】
また、本発明のもう一つの目的は、発信者の側面で、発信者は発信端末機を介して受信された上記着信者よりの回答音声メッセージを確認することで着信端末機に音声メッセージが正しく伝送されたのかを認知することができ、着信者の側面で、上記着信者は発信者よりの特定音声メッセージ（例えば、発信者の質問や緊急回答を望むメッセージ等）に対して、音声メッセージの聴取途中に特定ボタンを押して音声メッセージを録音及び伝送することによって簡単に回答音声メッセージを発信者に伝達し得る回答音声メッセージ伝送システム及びその方法を提供することにある。
【００１０】
本発明によると、発信端末機から提供される音声メッセージを聴取しながら、それに対する応答が必要な場合に、着信者がリアルタイムで所定キーを押して回答音声メッセージを録音してから発信者よりの音声メッセージの聴取を完了し、その後、発信者端末機にその回答音声メッセージを伝送することによって、発信者と着信者との相互間の音声メッセージ確認に対する欲求を満たすことができ、発信者は発送メッセージに対して不要な答弁期待値を有しなくてもよく、音声メッセージの利便性を高める。
【課題を解決するための手段】
【００１１】
上記目的を達成するための本発明の第１観点による回答音声メッセージ伝送システムは、Ａ）音声メッセージを登録し、登録された音声情報に対するメッセージ着信の通知を受ける発信端末機（ＭＳ１）；Ｂ）多数の基地局（ＢＴＳ）から受信される上記発信端末機（ＭＳ１）の音声メッセージ登録要請に応答して移動通信ネットワークの呼接続を行う基地局制御機（ＢＳＣ）；Ｃ）上記基地局制御機（ＢＳＣ）から接続されるチャンネルの管理及び統制を行い、呼接続に関連した信号処理機能を行う交換局（ＭＳＣ／ＶＬＲ）；Ｄ）上記発信端末機（ＭＳ１）の音声メッセージの登録及び登録通知を行い、上記登録された音声メッセージが着信端末機（ＭＳ２）により音声確認される場合に、上記音声メッセージの確認に関連した回答情報を生成する音声メッセージ管理サーバー（ＶＰＳ）；及び、Ｅ）上記交換局（ＭＳＣ／ＶＬＲ）と連動して発信者情報に基づいた上記音声メッセージを保存及び伝送し、上記音声メッセージの確認途中または確認完了後に、上記音声メッセージ管理サーバー（ＶＰＳ）により生成される着信者の回答情報を保存する音声私書箱サーバー（ＶＭＳ）；から成ることを特徴とする。
【００１２】
また、上記目的を達成するための本発明の第２観点による回答音声メッセージ伝送方法は、ａ）発信端末機から音声メッセージを登録する段階；ｂ）上記登録された音声メッセージが着信端末機から確認されるかどうかを判断し、判断の結果、上記着信端末機から上記音声メッセージが確認されない場合は、上記登録された音声メッセージを時間帯別にデータベース化して保存させる段階；ｃ）上記段階ｂ）で上記着信端末機から上記音声メッセージが確認される場合は、発信者の音声メッセージを聴取する途中または聴取完了後に、着信者による回答音声メッセージを録音する段階；及び、ｄ）着信者により録音された上記回答音声メッセージを上記発信端末機に伝送する段階；から成ることを特徴とする。
【００１３】
上記に説明したように、本発明による回答音声メッセージ伝送システム及びその方法は、発信端末機から提供される音声メッセージを聴取しながら、それに対する応答が必要な場合に、着信者がリアルタイムで所定キーを押して回答音声メッセージを録音し、発信者の音声メッセージの聴取を完了した後、発信者端末機にその回答音声メッセージを伝送することによって、発信者と着信者との相互間の音声メッセージ確認に対する欲求を満たすことができ、発信者が発送メッセージに対して不要な答弁期待値を有しなくてもよく、音声メッセージの利便性を高める効果を提供する。
【００１４】
したがって、本発明によると、短文メッセージの伝送／回答または音声メッセージの伝送/聴取によるサービスに限定されていた従来の付加サービスに飽き気味であった移動通信加入者の好奇心を刺激し、既存網を使用するため低廉な使用料で加入者にサービスを提供することができ、究極的には、新しいサービス創出の効果を期待することができる。
【発明を実施するための最良の形態】
【００１５】
以下、本発明の望ましい実施例を添付図面を参照しながら詳しく説明すると次の通りである。
【００１６】
図１は、本発明による回答音声メッセージ伝送システムを示した構成図である。
【００１７】
図１に示したように、上記回答音声メッセージ伝送システムは、音声メッセージを登録し、登録された音声情報に対するメッセージ着信の通知を受ける発信端末機（ＭＳ１）１１５と、多数の基地局（ＢＴＳ）１１３から受信される上記発信端末機（ＭＳ１）１１５よりの音声メッセージ登録要請に応答して移動通信ネットワークの呼接続を行う基地局制御機（ＢＳＣ）１１１と、上記基地局制御機（ＢＳＣ）１１１から接続されるチャンネルの管理及び統制を行い、呼接続に関連した信号処理機能を行う交換局（ＭＳＣ／ＶＬＲ）１０１と、上記発信端末機（ＭＳ１）１１５の音声メッセージの登録及び登録通知を行い、上記登録された音声メッセージが着信端末機（ＭＳ２）１１７により音声確認される場合に、上記音声メッセージの確認に関連した回答情報を生成する音声メッセージ管理サーバー（ＶＰＳ）１０９と、上記交換局（ＭＳＣ／ＶＬＲ）１０１と連動して発信者情報に基づいた上記音声メッセージを保存及び伝送し、上記音声メッセージの確認途中または確認完了後に、上記音声メッセージ管理サーバー（ＶＰＳ）１０９により生成される着信者の回答情報を保存する音声私書箱サーバー（ＶＭＳ）１０３と、上記交換局（ＭＳＣ／ＶＬＲ）１０１と連動して、上記音声メッセージの登録に伴う登録通知を短文メッセージ形態で伝送する短文メッセージセンター（ＳＭＣ）１０５と、から成る。また、上記交換局（ＭＳＣ／ＶＬＲ）１０１は、ホーム位置登録機（ＨＬＲ）１０７と接続されて着信端末機１１７の加入者情報を認知する。
【００１８】
上記音声メッセージ管理サーバー１０９は、図２に示したように、上記発信端末機（ＭＳ１）１１５から要請される音声メッセージに対する登録手順を制御し、その登録によって音声メッセージ登録時間を生成し、上記発信端末機（ＭＳ１）１１５から着信要請された着信者情報を管理する音声メッセージ管理モジュール２０１と、既に登録されている音声メッセージに対する着信端末機（ＭＳ２）１１７の音声メッセージ確認手順を制御し、上記音声メッセージを確認した時に音声メッセージ確認信号及び確認時間情報を生成する音声メッセージ確認モジュール２０３と、上記音声メッセージの確認途中または確認終了後に、着信者の回答音声メッセージを上記発信端末機（ＭＳ１）１１５に伝送する回答音声メッセージ伝送モジュール２０５と、から成る。
【００１９】
以下、本発明の動作を添付図面を参照しながら詳しく説明すると次の通りである。
【００２０】
図３は、本発明の主要動作を説明するための動作フローチャートである。
【００２１】
同図に示したように、上記発信端末機（ＭＳ１）１１５は、任意の着信端末機（ＭＳ２）１１７に音声メッセージを伝送するための、すなわち、音声メッセージ登録のための呼接続要請メッセージを上記基地局制御機（ＢＳＣ）１１１を介して上記交換局（ＭＳＣ／ＶＬＲ）１０１に伝送する（Ｓ３０１）。この時、音声メッセージの登録は、別の特殊番号を有する呼接続が必要となり得るが、通話を試みて一定時間着信されない場合に、上記発信端末機（ＭＳ１）１１５は音声私書箱モードに自動切換えされて音声メッセージ登録手順を提供されることができる。
【００２２】
以後、上記交換局（ＭＳＣ／ＶＬＲ）１０１は、訪問者位置登録機（ＶＬＲ:Visitor Location Register）を通して上記発信端末機（ＭＳ１）１１５の端末情報を抽出し、上記呼接続要請による着信端末機（ＭＳ２）１１７の番号情報に基づいて呼接続のためのスイッチングを行う（Ｓ３０２）。上記スイッチング過程以後に所定時間が経過すると、上記交換局（ＭＳＣ／ＶＬＲ）１０１は音声メッセージ登録のための手順を案内し、上記音声私書箱サーバー（ＶＭＳ）１０３と接続する。これにより、上記音声メッセージは、上記所定の登録手順に沿って上記音声私書箱サーバー（ＶＭＳ）１０３に保存されるが（Ｓ３０３）、発信者の立場から見ると、発信者は上記発信端末機（ＭＳ１）１１５の所定のキー操作を通して音声メッセージを録音し、その録音された音声メッセージを上記音声私書箱サーバー（ＶＭＳ）１０３に保存するようになる。
【００２３】
この時、上記音声メッセージ管理サーバー（ＶＰＳ）１０９は、上記交換局（ＭＳＣ／ＶＬＲ）１０１から音声メッセージの管理要請を受けるようになるが、以後、上記音声メッセージ管理サーバー（ＶＰＳ）１０９は、上記音声メッセージ管理モジュール２０１を起動させて、現在の音声メッセージの登録にともなう登録時間情報を生成及び保存する（Ｓ３０４）。この後、上記短文メッセージセンター（ＳＭＣ）１０５は、音声メッセージの到着を知らせるための短文メッセージを上記着信端末機（ＭＳ２）１１７に送出する（Ｓ３０５）。又は、上記短文メッセージ送出の過程の他に、上記音声メッセージ管理サーバー（ＶＰＳ）１０９がアウトダイヤル（Outdialling）して着信端末に直接連結してもよい。
【００２４】
上記着信端末機（ＭＳ２）１１７は、上記短文メッセージを確認した後に、発信者から伝送された音声メッセージを聴取するか否かを着信者に質疑する（Ｓ３０６）。
【００２５】
上記段階Ｓ３０６での質疑結果、着信者が発信者から伝送された音声メッセージの聴取を簡単なキー操作により設定すると、着信者が音声メッセージを聴取できるようにするために上記着信端末機（ＭＳ２）１１７と上記交換局（ＭＳＣ／ＶＬＲ）１０１との呼接続が行われる。この過程について次のように詳述する。
【００２６】
まず、上記着信端末機（ＭＳ２）１１７は、上記交換局（ＭＳＣ／ＶＬＲ）１０１を介して上記音声私書箱サーバー（ＶＭＳ）１０３と接続を行うために、音声メッセージ接続番号情報（*８８）を入力することによって呼接続を試みる。上記交換局（ＭＳＣ／ＶＬＲ）１０１との呼接続がなされると、上記交換局（ＭＳＣ／ＶＬＲ）１０１はこれを音声メッセージ管理サーバー（ＶＰＳ）１０９に知らせて、上記音声メッセージ管理サーバー（ＶＰＳ）１０９は上記音声メッセージ確認モジュール２０３を起動させて音声メッセージ確認手順を上記着信端末機（ＭＳ２）１１７に案内する。
【００２７】
発信者よりの音声メッセージの確認段階において、上記着信端末機（ＭＳ２）１１７は、既に設定された所定個数のパスワード情報（xxxx）を入力して上記音声メッセージ管理サーバー（ＶＰＳ）１０９から要求される認証手順を行い、上記認証手順が終了すると、上記音声メッセージ管理サーバー（ＶＰＳ）１０９は認証確認による結果情報を上記交換局（ＭＳＣ／ＶＬＲ）１０１に提供する。以後、上記交換局（ＭＳＣ／ＶＬＲ）１０１は、上記音声私書箱サーバー（ＶＭＳ）１０３に、既に保存されている音声メッセージ情報を提供するよう指示する。すなわち、上記音声私書箱サーバー（ＶＭＳ）１０３に保存された上記音声メッセージ情報は、上記着信端末機（ＭＳ２）１１７に伝送されて着信者に提供される。こうして、上記段階Ｓ３０６に沿う音声メッセージ聴取手順が行われるようになる。
【００２８】
発信者よりの音声メッセージの聴取途中または聴取完了後に行われる、着信者の回答音声メッセージ伝送過程（Ｓ３０７〜Ｓ３１４）を次のように説明する。
【００２９】
上記段階Ｓ３０６での質疑結果、着信者が発信者よりの音声メッセージの聴取を設定すると、上記着信端末機（ＭＳ２）１１７は上記音声メッセージの聴取途中に回答音声メッセージを録音するか否かを着信者に質疑する（Ｓ３０７）。
【００３０】
上記段階Ｓ３０７での質疑結果、着信者が上記音声メッセージの聴取途中に回答音声メッセージを録音することを決定すると、上記音声私書箱サーバー（ＶＭＳ）１０３が発信者よりの音声メッセージを再生（聴取）する途中に、上記音声メッセージ管理サーバー（ＶＰＳ）１０９は上記回答音声メッセージ伝送モジュール２０５を起動させて、回答音声メッセージ録音手順に沿う制御を行うことによって着信者の回答メッセージを録音する（Ｓ３０８）。この時、着信者は端末の特定ボタンをクリックすることによって上記録音動作を行えるようになる。上記録音された着信者の回答音声メッセージは、上記音声私書箱サーバー（ＶＭＳ）１０３の所定領域に保存される。
【００３１】
以後、上記音声私書箱サーバー（ＶＭＳ）１０３による音声メッセージの再生が終了すると、上記録音されて保存された着信者の回答音声メッセージは、上記交換局（ＭＳＣ／ＶＬＲ）１０１の呼接続過程をたどって発信者に伝送される（Ｓ３０９）。
【００３２】
また、上記段階Ｓ３０７での質疑結果、上記着信者が上記音声メッセージの聴取途中に回答音声メッセージの録音を望まないとすれば、上記音声メッセージの聴取後に回答音声メッセージを録音することを望むかどうかを着信者に質疑する（Ｓ３１０）。上記段階Ｓ３１０での質疑結果、着信者が上記音声メッセージの聴取後に回答音声メッセージを録音することを望む場合は、上記音声私書箱サーバー（ＶＭＳ）１０３による発信者の音声メッセージ再生（聴取）が完了した後（Ｓ３１１）、上記音声メッセージ管理サーバー（ＶＰＳ）１０９は、上記回答音声メッセージ伝送モジュール２０５を起動させて回答音声メッセージの録音手順に沿う制御を行うことによって着信者の回答メッセージ録音を行う（Ｓ３１２）。この時、前述のように、着信者は端末の特定ボタンをクリックすることによって上記録音動作を行えるようになる。上記録音された着信者の回答音声メッセージは、上記音声私書箱サーバー（ＶＭＳ）１０３の所定領域に保存される。
【００３３】
以後、前述の上記段階Ｓ３０９でのように、上記音声私書箱サーバー（ＶＭＳ）１０３による音声メッセージの再生が終了すると、上記録音されて保存された着信者の回答音声メッセージは上記交換局（ＭＳＣ／ＶＬＲ）１０１の呼接続過程をたどり上記発信者に伝送される（Ｓ３１３）。
【００３４】
一方、上記段階Ｓ３１０での質疑結果、着信者が上記音声メッセージの聴取後に回答音声メッセージを録音することを望まない場合は、上記音声私書箱サーバー（ＶＭＳ）１０３に保存されている発信者よりの音声メッセージの再生（聴取）が完了した後（Ｓ３１４）、全ての動作が終了する。
【００３５】
上記実施例では、着信者が上記音声メッセージを聴取する途中または聴取後に回答音声メッセージを録音するか否かが、上記着信端末機（ＭＳ２）１１７の質疑により先ず設定されたが、上記の質疑過程をたどらずに、上記音声メッセージの聴取途中または聴取後直ちに着信者が特定のボタンをクリックすることで上記過程を行うこともできる。
【００３６】
また、上記段階Ｓ３０６での質疑結果、上記着信者が上記発信者よりの音声メッセージの聴取を望まない場合、すなわち、上記着信端末機（ＭＳ２）１１７が上記発信端末機（ＭＳ１）１１５から登録された音声メッセージ情報の確認を望まない場合に、上記音声メッセージ情報は上記音声私書箱サーバー（ＶＭＳ）１０３の所定領域にデータベース化して保存される（Ｓ３１５）。
【００３７】
上記データベース化した音声メッセージ情報らは、着信者が削除可能であり、削除しなかった場合は、所定期間端末のメモリーに保存されてから自動削除されることもできる。また、上記データベース化した（着信者に伝送されていないか、着信者により確認されていない）音声メッセージ情報らは、前述した網で既に認知されているために、発信者に周期的またはリアルタイムに知らせることができる。尚、これは該当技術分野の技術者により十分に具現可能であることはもちろんである。
【００３８】
したがって、発信者の側面では、発信者は発信端末機に受信された上記着信者よりの回答音声メッセージを確認することによって、着信端末機に自分の音声メッセージが正しく伝送されたのかを認知でき、着信者の側面では、上記着信者は発信者よりの特定の音声メッセージ（例えば、発信者の質問や緊急回答を望むメッセージ等）に対して音声メッセージの聴取途中に特定ボタン押して音声メッセージを録音及び伝送することによって、簡単に回答音声メッセージを発信者に伝達できるようになる。
【００３９】
また、本発明においては、音声メッセージに対する回答音声メッセージが移動通信端末機の間でなされることと記述されているが、ＷＡＰ、ＷＥＢ上でも音声メッセージの登録、及び登録された音声メッセージに対する回答音声メッセージの登録が可能であることはもちろんである。例えば、コンピュータ、ＰＤＡのような有無線端末機を介して回答音声メッセージの伝送が行われることもできる。
【００４０】
尚、本発明による実施例においては音声メッセージに対する回答音声メッセージのみを記述したが、文字、映像、イメージ、アバターなどを含むマルチメディアメッセージを回答音声メッセージに追加して伝送することもできる。
【産業上の利用可能性】
【００４１】
本発明は、移動通信端末機の音声メッセージ伝送に関するもので、より詳しくは、発信者から伝送された音声メッセージに対して、着信者が音声の聴取途中に端末機の特定キーを押すことによって回答可否を音声メッセージで伝送できるようにした回答音声メッセージ伝送システム及びその方法に関するものである。
【図面の簡単な説明】
【００４２】
【図１】本発明による音声メッセージ伝送結果通知システムを示した構成図である。
【図２】本発明による音声メッセージ管理サーバーの主要機能を示した構成図である。
【図３】本発明の主要動作を説明するための動作フローチャートである。
【図１】
2008512893.tif 000003
【図２】
2008512893.tif 000004
【図３】
2008512893.tif 000005
【国際調査報告】
2008512893.tif 000006
2008512893.tif 000007